(57)【特許請求の範囲】
【請求項１】
上下方向に間隔をおいて水平配置した複数段のデッキと、可動配置したデッキの進退変位をもたらすそれぞれの台車とを具え、それらのデッキおよび台車を、ほぼ入子式に収納・展開可能ならしめた移動観覧席であって、可動デッキの上段に位置するデッキの、進退変位方向の中間部の裏面に、相互に平行な一対の上部リンクの一端を、垂直面内で揺動可能にヒンジ連結するとともに、これらの上部リンクの他端を、上段に位置する前記デッキの下段側の可動デッキの後端部分で、その裏面に垂直面内で揺動可能にヒンジ連結した一対の平行な下部リンクの遊端部にヒンジ連結し、ともに対をなす上部リンクの相互および下部リンクの相互を、互いに平行に延びるクロスメンバで連結し、上部および下部リンクのそれぞれの長さを、前記可動デッキの収納下で上部リンクが水平姿勢となり、その可動デッキの展開下で、上部および下部リンクが下側に凸姿勢となる長さに選択してなる移動観覧席。
【発明の詳細な説明】
【０００１】
【発明の属する技術分野】
この発明は、体育館、講堂等の屋内に適用される他、屋外の競技場その他に適用されて、複数段のデッキを所要に応じて階段状に展開し、また、使用後にはそれらのデッキを上下方向に整列させて収納することができる、全体としてほぼ入子状構造の移動観覧席に関し、とくには、可動デッキを展開方向に進出変位させ、また収納方向に後退変位させるに際してのその可動デッキの直進性を大きく向上させたものである。
【０００２】
【従来の技術】
複数段の可動デッキをほぼ入子式に収納・展開可能ならしめた移動観覧席は従来から各種のものが提案されており、多くは、可動デッキ上に、セパレートタイプのまたはベンチタイプの椅子を配設することで、移動観覧席への所定数の観客の着座を可能ならしめている。
【０００３】
かかる移動観覧席において、それぞれの可動デッキの、展開方向への進出変位および収納方向への後退変位に際する直進性を担保すべく、出願人は先に、実開昭５５−４０７１８号に記載の伸縮構造を提案した。
【０００４】
図７〜１０はこの従来技術を示す図であり、図７は、上下方向に所定の間隔をおいて水平に配置した複数段のデッキ１１１〜１１５の全てを可動タイプとするとともに、それぞれのデッキ１１１〜１１５の進退変位をもたらすそれぞれの台車１１６〜１２０でそれらのデッキ１１１〜１１５を支持し、これらのデッキおよび台車を全体としてほぼ入子構造とした移動観覧席を示す。ここでは、下段側のデッキおよび台車を上段側のそれらの内側に完全に入れ込み、また、最上段のデッキ１１５および台車１２０を壁面その他に設けた窪み１２１内に入れ込むことによって図８に示すような収納状態をもたらすことができ、この一方で、全てのデッキ１１１〜１１５を、台車１１６〜１２０の作用下でそれらの進出限位置まで進出させることで、図７に示すような展開状態をもたらすことができる。
【０００５】
ここで各段のデッキおよび台車は、図９にデッキ１１４と台車１１８とを例にとって背面斜視図で示すように組付けられており、ここにおけるデッキ１１４は、垂直姿勢で左右方向に水平に延びる貫材１１４ａと、この貫材１１４ａの長さ方向に間隔をおいた複数個所で、後端部をその貫材１１４ａに固定されて前方側へ水平に突出する複数本の鉤状アーム１１４ｂと、鉤状アーム１１４ｂの水平突出部分に張り渡した床材１１４ｃ，１１４ｄとを具えてなり、また、台車１１８は、前後方向に延在し、走行ローラ１１８ａを介して床面に接触する一対の支持脚１１８ｂと、それぞれの支持脚１１８ｂの後端部分に直立されて、上端近傍部分を前記貫材１１４ａに固定した一対の支柱１１８ｃとを具えてなる。
【０００６】
なお図中１２２は、各支柱１１８ｃから前方側へ突出させて設けられ、貫材１１４ａおよび床材１１４ｃ，１１４ｄのそれぞれを支持する梁部材を、また、１２３は、各支柱１１８ｃの下端部と、中央部寄りに配設した鉤状アーム１１４ｂの後端部とを連結するブレースを示す。
またここでは、床材１１４ｄの先端にベンチタイプの椅子１２４を取り付けている。
【０００７】
ところで、このような移動観覧席の伸縮構造は、最下段を除く、各段のデッキ１１４で、とくに中央部寄りに配設した二本の鉤状アーム１１４ｂを一対とし、図１０に一部を破断除去した要部斜視図で示すように、各鉤状アーム１１４ｂの前後端に設けたそれぞれのワイヤプーリ１２５に、一本のワイヤロープ１２６をたすき掛け様に掛け回し、そして、そのワイヤロープ１２６の両端を、下段デッキの両アーム１１４ｂのそれぞれの後端部分で鉤部を形成するそれぞれの立上り部１１４ｅに突設したそれぞれのブラケット１１４ｆのいずれか一方に、張力の調節下で連結し、また、そのワイヤロープ１２６の中央部を、他方のブラケット１１４ｆにクランプ固定したものである。
【０００８】
この伸縮構造は、上段デッキの鉤状アーム１１４ｂに掛け回したワイヤロープ１２６をもって、下段デッキの進退運動を規制するものであり、これによれば、一本のワイヤロープ１２６をたすき掛け様に掛け回すとともに、その両端を下段側の一方のブラケット１１４ｆに連結し、またその中央部を他方のブラケット１１４ｆにクランプ固定することにより、下段デッキの進退運動に当り、そのデッキのそれぞれのブラケット１１４ｆは、ワイヤロープ１２６の拘束下で、上段デッキに対してともに等量ずつ変位されることになるので、進退運動の直進性が確保されることにる。
【０００９】
なお図中１２７は、各鉤状アーム１１４ｂの先端部から上方へ突設されて椅子１２４を支持する補強部材を示す。
【００１０】
【発明が解決しようとする課題】
しかるに、かかる従来技術にあっては、それぞれの段毎のワイヤロープ張力を正確に一致させることが困難であり、各段のデッキの直進性が不揃いとなるため、移動観覧席全体としてのすぐれた直進性を確保することが難かしく、隣接する観覧席との干渉のおそれがあり、これを回避するためには、各段のデッキの複数回にわたる進退変位を繰り返して、あるいはまた作業者の手作業による矯正操作を行って、所要の直進精度を収得することが必要になる。
【００１１】
また、ワイヤロープ１２６の初期張力が大きすぎると、それの破断のおそれがある一方で、ワイヤロープ１２６の経時的な伸長が大きすぎる場合には、再度の張力調整なしには十分な直進性を確保することができず、そしてさらには、ワイヤロープ１２６の張力調整が適正であっても、ワイヤロープそれ自体の可撓性の故に、デッキ１１４の直進精度には自ら限界があった。
【００１２】
この発明は、従来技術が抱えるこのような問題点を解決することを課題として検討した結果なされたものであり、それの目的とするところは、各段のデッキの直進精度を十分に高め得ることはもちろん、それぞれの段の直進精度を十分均一ならしめることができ、使用中における再調整の必要がなく、破損のおそれもない移動観覧席、なかでもそれの直進ガイド機構を提供するにある。
【００１３】
【課題を解決するための手段】
この発明の移動観覧席は、上下方向に間隔をおいて水平配置した複数段のデッキと、可動配置したそれぞれのデッキの進退変位をもたらすそれぞれの台車とを具え、それらのデッキおよび台車を、ほぼ入子式に収納・展開可能ならしめた、従来技術で述べたとほぼ同様の移動観覧席において、可動デッキの上段に位置するデッキの、進退変位方向の中間部の裏面に、相互に平行な一対の上部リンクの一端を、たとえば、従来技術で述べたようなアームを介して、垂直面内で揺動可能にヒンジ連結するとともに、それらの上部リンクの他端を、上段に位置する前記デッキの下段側の可動デッキの後端部分で、その裏面に、これもたとえばアームを介して垂直面内で揺動可能にヒンジ連結した、一対の平行な下部リンクの遊端部にヒンジ連結し、そして、ともに対をなす上部リンクの相互および下部リンクの相互を、左右方向に互いに平行に延びるクロスメンバによって連結し、上部および下部リンクのそれぞれの長さを、前記可動デッキの収納下で上部リンクが水平姿勢となり、その可動デッキの展開下で、上部および下部リンクが下側に凸姿勢となる長さに選択したものである。
【００１４】
この移動観覧席では、ともに平行に延びる上部リンク対および下部リンク対の各対をクロスメンバをもって相互連結することで、上下部のそれぞれのリンクが左右方向に大きな剛性を有することになり、しかも、剛性材料からなるそれらのリンクは、使用中に破断したり伸びたりすることもないので、上部リンクおよび下部リンクの揺動運動に基き、それぞれの可動デッキを、ともに均一にして高精度の直進性をもって円滑に進退変位させることができ、また、使用中におけるリンクの交換、補修等を全く不要ならしめることができる。
【００１５】
加えてここでは、上下部のそれぞれのリンクの長さを、可動デッキの収納下で上部リンクが水平姿勢となるように選択して、その上部リンクの、上下いずれのデッキとの干渉をも有効に防止することで、上下段デッキの間隔を従来通りの所要寸法に維持して、移動観覧席全体の収納時の占有体積を十分小ならしめることができ、併せて、可動デッキの展開下で、上部および下部リンクを下側に凸姿勢として、それらの両リンクの連結部の下側方向への変位を円滑ならしめることで、可動デッキの後退変位に基く収納作動を常に容易ならしめることができる。
【００１６】
【発明の実施の形態】
以下にこの発明の実施の形態を図面に示すところに基いて説明する。
図１はこの発明の実施形態を移動観覧席の展開姿勢で示す、センタラインに沿う断面図であり、図２はそれを収納姿勢で示す要部背面図である。
【００１７】
ここでは上下方向に間隔をおいて水平配置した五段のデッキ１〜５のうち、下段側の三段のデッキ１〜３を可動デッキとし、これらの可動デッキ１〜３を、それらのそれぞれに組付けた台車６〜８をもって前後方向に進退変位可能ならしめる。
【００１８】
ここで、最上段のデッキ５を除くデッキ１〜４は、左右方向に水平に延びる貫材９〜１２と、各貫材９〜１２の長さ方向に間隔をおいた複数個所でその貫材から前方側へ水平に突出させて設けたそれぞれのアーム１３〜１６と、これらのアーム上に張り渡した床材１７〜２０とを具える。
【００１９】
また、台車６〜８は、前後方向に延在して、走行ローラを介して床面２１に接触する、従来技術で述べたと同様の一対の支持脚２２〜２４と、それぞれの支持脚２２〜２４の後端部に直立されて、上端近傍部分を貫材９〜１１に固定した一対の支柱２５〜２７とを具える。なお、ここにおけるこれらの各支柱２５〜２７はその上端に、上段側のアーム１４〜１６を支持するとともに、それらの各アームとの間の前後方向の相対変位を円滑ならしめるローラを有する。
【００２０】
ところで、固定支柱２８に組付けられた最上段のデッキ５は、固定支柱２８に掛け渡した梁部材２９から前方側へ突出させた複数本のアーム３０と、それらのアーム上に張り渡した床材３１とを具える。なお、図に示すところでは、最上段デッキ５の下段側のデッキ４もまた、固定支柱３２に組付けられた不作動デッキである。
【００２１】
以上のような構造を有する移動観覧席の各デッキ上には、所要に応じて、セパレートタイプの各個が独立した椅子を配設し得ることはもちろんであるが、図に示すところでは、ベンチタイプの連続椅子３３〜３７を配設することで、所定数の観客の着座を可能ならしめる。
【００２２】
なお図２に示すところにおいて、３９〜４１はそれぞれ、台車７の支柱２６の下端部と貫材１０、台車８の支柱２７の下端部と貫材１１および、固定支柱３２の下端部と貫材１２とをそれぞれ連結するブレースを示す。
【００２３】
このような移動観覧席の直進ガイド機構は、図３に要部を拡大して例示するように、可動デッキ３の上段に位置するデッキ４の裏面、図では床材２０を支持する複数本のアーム１６（図２参照）のうち、中央部側に位置する二本のアームの内側面に、スペーサ部材５１を介して、相互に平行な一対の上部リンク５２の一端を垂直面内で揺動可能にヒンジ連結し、これらの上部リンク５２の他端を、下段側可動デッキ３の後端部分裏面で、前述したと同様位置に配設された二本のアーム１５の内側面に、スペーサ部材５１を介して、垂直面内で揺動可能に一端をヒンジ連結した一対の平行な下部リンク５４の遊端部にヒンジ連結し、そして、ともに対をなす上部リンク５２の相互および下部リンク５４の相互を、互いに平行に延びるクロスメンバ５５，５６によってそれぞれ連結してリンク機構部の剛性を高めたものである。
【００２４】
ここにおいて、上部リンク５２および下部リンク５４のそれぞれの長さは、図１、３に示すように、可動デッキを進出変位させたそれの展開状態の下では、相互にヒンジ連結した上下部の両リンク５２，５４が下側に凸となる姿勢をとるとともに、可動デッキを、それが固定デッキ４の下側に入り込む、図４に示すような収納状態としたときには、スペーサ部材５１の先端部にヒンジ連結した上部リンク５２が、そのスペーサ部材を取付けたアーム１６に沿った水平姿勢となるように選択する。なお可動デッキのこのような収納状態の下では、下段側デッキの裏面で、スペーサ部材５１の後端部に連結した下部リンク５４は、デッキの背面側で、上部リンク５２から斜め下方へ延在する。
【００２５】
このように構成してなる直進ガイド機構では、図５にＡで示すような収納状態の可動デッキ、たとえば可動デッキ３を、図にＢおよびＣで示す進出位置を順次に辿って図にＤで示す位置まで展開変位させるに当り、上部リンク５２は、それのスペーサ部材５１へのヒンジ位置の周りで次第に下向きに回動し、そして、下部リンク５４もまた、それのヒンジ位置の周りで下向き回動してデッキ３の直線状の進出変位を案内する。なおここで、可動デッキ３が図にＣで示す位置からＤで示す展開位置に達するまでの間では、上下部の両リンク５２，５４の交角がとくに大きく増大することにより、下部リンク５４は、それのヒンジ位置の周りで幾分上向きに回動することになる。
【００２６】
この一方で、展開状態の可動デッキ３を収納するに当っては、上下部のそれぞれのリンク５２，５４は、上述したところとは逆方向に回動変位して、可動デッキ３の、図にＡで示す位置への直線状の後退変位を案内する。
ちなみに、図１は、直進ガイド機構のこのような作用の下で、全ての可動デッキ１〜３を展開した状態を示し、図６は、全ての可動デッキ１〜３を収納した状態を示す。
【００２７】
直進ガイド機構のこのような作用に当り、上下部のそれぞれのリンク５２，５４は垂直面内でのみ揺動変位し、しかも、対をなす上部リンク５２の相互および下部リンク５４の相互は、クロスメンバ５５および５６により連結されて、図５の紙面と直交する左右方向には十分大きな剛性を有しているので、それぞれの可動デッキ１〜３の展開および収納はいずれも、高い直進性をもって円滑に行なわれることになる。
【００２８】
加えて、この直進ガイド機構では、従来技術におけるような張力調整が不要であるのみならず、剛性材料からなるそれぞれのリンク５２，５４に所要の強度を付与することで、リンク５２，５４に伸び、破断等が生じることもないので、特別の調整を行なうことなしに、常に高い直進性を維持することができる。
【００２９】
以上この発明の実施の形態を図面に基いて説明したが、図に示すところから不作動デッキ５および固定支柱２８を省くこと、全てのデッキを可動デッキとすること等も可能である。
【００３０】
【発明の効果】
かくしてこの発明によれば、張力調整のような特別の作業を必要とすることなく直進ガイド機構を構成することができ、また、各段のデッキの直進精度を大きく向上させるとともに、各段の直進精度を十分均一ならしめることができ、さらには、使用中の調整をもまた不要としてなお、破損のおそれなしに、高い直進性を常に確実に実現することができる。
【図面の簡単な説明】
【図１】この発明の実施形態を移動観覧席の展開姿勢で示すセンタラインに沿う断面図である。
【図２】この発明の実施形態を移動観覧席の収納姿勢で示す要部背面図である。
【図３】直進ガイド機構を示す要部拡大図である。
【図４】上下部リンクの長さを示す拡大断面図である。
【図５】直進ガイド機構の作動説明図である。
【図６】移動観覧席を収納姿勢で示す図１と同様の断面図である。
【図７】従来技術を移動観覧席の展開姿勢で示す図１と同様の断面図である。
【図８】従来技術を移動観覧席の収納姿勢で示す図１と同様の断面図である。
【図９】一のデッキおよび台車の背面斜視図である。
【図１０】伸縮構造を示す要部斜視図である。
【符号の説明】
１〜５  デッキ
６〜８  台車
９〜12  貫材
13〜16  アーム
17〜20  床材
21  床面
22〜24  支持脚
25〜27  支柱
33〜37  連続椅子
51  スペーサ部材
52  上部リンク
54  下部リンク
55，56  クロスメンバ
【図１】
0003779451.tif 000002
【図２】
0003779451.tif 000003
【図３】
0003779451.tif 000004
【図４】
0003779451.tif 000005
【図５】
0003779451.tif 000006
【図６】
0003779451.tif 000007
【図７】
0003779451.tif 000008
【図８】
0003779451.tif 000009
【図９】
0003779451.tif 000010
【図１０】
0003779451.tif 000011